(57)【要約】      （修正有）【課題】リングからなる綴じ具を用いた場合に、比較的狭いスペースで不自由なく使用でき、かつ、用紙の回動範囲を少なくして使用者の負担を軽減したノート類を提供する。【解決手段】綴じ穴６が形成される多数枚の用紙４と、綴じ穴６に挿入されて用紙４を綴じ込む綴じ具７とを備えたノート類１において、用紙４の左右のいずれか一方の肩部をカットして、略４５°に傾斜した綴込み縁５を形成する。この綴込み縁５に沿って複数の綴じ穴６を設けて、これらの綴じ穴６にリング状の綴じ具７を挿入することで用紙４を綴じる。【選択図】図２
0003143892.tif 000002
【実用新案登録請求の範囲】
【請求項１】
綴じ穴が形成される多数枚の用紙と、前記綴じ穴に挿入されて前記用紙を綴じ込む綴じ具とを備えたノート類において、
前記用紙の左右のいずれか一方の肩部をカットして、略４５°に傾斜した綴込み縁を形成し、この綴込み縁に沿って複数の綴じ穴を設けて、これらの綴じ穴にリング状の綴じ具を挿入することで前記用紙を綴じてなることを特徴とするノート類。
【請求項２】
前記用紙の上端側において、前記用紙の上端から下端までの長さに対して１／３以内の長さの範囲に、前記綴込み縁を形成したことを特徴とする請求項１に記載のノート類。
【請求項３】
前記用紙を完全に開いたとき、９０°移動した位置にその用紙が到達するように綴じられていることを特徴とする請求項１又は２に記載のノート類。
【請求項４】
前記ノート類の表裏の差異を設けずに、表裏のいずれからでも用紙の使用ができ、用紙を開く方向を左右のいずれかにするかを使用者が決定することを特徴とする請求項１から３のいずれかに記載のノート類。
【考案の詳細な説明】
【技術分野】
【０００１】
本考案はノート類に関し、特に、斜め方向に開くように綴じられたノート、メモ帳等を含むノート類に関する。
【背景技術】
【０００２】
公知のノート類は、多数枚の用紙を綴じるに際し、例えば、一本の金属線材を加工して螺旋状に設けられたスパイラルリングやツインリング等の綴じ具が用いられている。綴じ具としてスパイラルリングを用いたノートは、多数枚の用紙の上端、又は左右端の一方に綴じ穴をなす丸穴が形成され、この丸穴にスパイラルリングを挿入することによって用紙が束ねられる構成である。
また、綴じ具としてツインリングを用いたノートでは、用紙の一端に形成された平面視略方形の綴じ穴をなす角穴に各二本のリングを挿入することにより用紙が束ねられるようになっている。
【０００３】
上記のような各ノート類は、それぞれスパイラルリング又はツインリング等の線形状に沿ってめくり操作可能となり、これにより、各枚の用紙に所要の筆記が行えるものとなる。このようなリング状の綴じ具を用いたときは、綴じられた用紙を、使用者から見て上下方向に開く、いわゆる天開き、または左右方向に開く中開きの２種類のものがあった。
【０００４】
【特許文献１】特開２０００−１４１９７３公報
【考案の開示】
【考案が解決しようとする課題】
【０００５】
しかしながら、天開きのノート類では、これを使用する場合にノート類を置く場所において作業者から見て、このノート類を拡げることが可能な上下方向のスペースが必要である。ノート類を狭い場所で使用しなければならないことは、日常においてしばしば経験することである。
【０００６】
また、中開きのノート類の場合は、使用者が右利きか左利きかの差異によって、右開きと左開きとの間に扱い易さの差が生じてくる。さらに、天開き又は中開きのノート類では、用紙をめくる場合に用紙の端部の回動範囲が比較的大きく、用紙を持つ手を広範囲に動かさなければならないため、手の動きが不自由なお年寄りや障害のある人等が使用するときには、用紙をめくる動作がしづらい場合がある。
【０００７】
本考案者等は、種々検討を行った結果、比較的狭いスペースで不自由なく使用でき、かつ、用紙をめくる動作をし易くし、かつ、綴じ具による用紙の綴じ位置が、用紙の有効使用面積を大きく損なうことがない実用上最もバランスのよい形態を見出して、本考案を完成するに至った。
【０００８】
本考案は、このような知見に基づいて案出されたものであり、その目的は、比較的狭いスペースでも不自由なく使用でき、かつ、用紙をめくり動作をし易くして使用者の負担を軽減したノート類を提供することにある。
【課題を解決するための手段】
【０００９】
前記目的を達成するため、本考案は次のように構成されている。
すなわち、綴じ穴が形成される多数枚の用紙と、前記綴じ穴に挿入されて前記用紙を綴じ込む綴じ具と、を備えたノート類において、
前記用紙の左右のいずれか一方の肩部をカットして、略４５°に傾斜した綴込み縁を形成し、これらの綴込み縁に沿って複数の綴じ穴を設けて、この綴じ穴にリング状の綴じ具を挿入することで前記用紙を綴じてなることを特徴とする。
【００１０】
このようなノート類は、従来にない斬新な形態であって、用紙をめくる方向が斜めであるので用紙をめくりやすい。また、メモ帳など比較的小さいものであるときは、片手で拡げてその状態を指で保持することができ、機能性に優れたものとなる。
【００１１】
また、用紙の上端側において、用紙の上端から下端までの長さに対して１／３以内の長さの範囲に、前記綴込み縁を形成することが好ましい。このようにすれば、用紙のめくり易さが損なわれず、かつ用紙が有効使用できる範囲を十分確保することができる。
【００１２】
前記用紙を完全に開いたとき、９０°移動した位置にその用紙が到達するように綴じることが好ましい。このようにすれば、めくられた用紙の向きが垂直方向から水平方向に変化するので、用紙の表面を縦方向（縦長）に、裏面を横方向（横長）に使用することができる。
【考案の効果】
【００１３】
本考案に係るノート類は、比較的狭いスペースで使用でき、かつ、用紙のめくる際の動作をし易くして使用者の負担を軽減することができる。
また、表裏のどちらかでも使用できるようにすれば、使用者の左利き右利きにかかわらずめくりやすいユニバーサルデザインのものとすることが可能である。
【考案を実施するための最良の形態】
【００１４】
以下、本考案の実施の形態について、添付図面を参照しながら説明する。
図１は、本考案に係るノート類であるノートの全体斜視図である。ノート１は、表裏一対となる第１表紙２及び第２表紙３と、各第１、第２表紙２、３間に設けられた多数枚の用紙４と、を備えている。また、用紙４には、長方形の左肩部をカットするようにして、略４５°に傾斜した綴込み縁５が形成されている。図１に示すノートは、この綴込み縁５に沿って、４個の円形の綴じ穴６が並設され、これらの綴じ穴６には、らせん状に形成した綴じ具７が挿入されている。また、図２及び図３に示すノートは、綴込み縁５に沿って、４個の楕円形の綴じ穴６が並設され、これらの綴じ穴６には、らせん状に形成した綴じ具７が挿入されている。
前記ノート１では、前記綴込み縁５の傾斜角度を略４５°にすることで、用紙４等を完全に開いたとき、９０°移動した位置にその用紙が到達する。このとき、めくられた用紙の向きが、当初の縦長の垂直方向から横長の水平方向に変化するので、用紙の表面を縦長に、かつ裏面を横長に使用することが可能となり、これらを適宜、使い分けるようにしてもよい。
【００１５】
この例では、前記用紙の上端側において、前記用紙４の上端から下端までの長さに対して約１／５の長さの範囲に、前記綴込み縁５が形成されている。通常、めくり易さ、用紙の使用面積の確保等を考慮して、用紙４の上端から下端までの長さに対して、１／５から１／３程度の範囲に綴込み縁５を設けることが好ましい。
【００１６】
前記綴じ具７は、細幅の長尺な合成樹脂板をらせん状に成形したものであるが、綴じ具
は、このようなものに限られず、図５に示す例のように、一本の金属線材を曲成し、全体としてらせん状に加工したもの等、どのような形態であってもよい。
【００１７】
所定数の用紙が綴じられたノート１は、図１及び図２に示すように、第１表紙２や用紙４を開くと、開かれた表紙や用紙は、元の位置から左上方に９０°移動した位置に到達する。このとき、用紙４等の移動に伴う回動中心部分は、比較的短い綴込み縁５に限られ、用紙４等の回動方向も左斜め上方であるため、用紙４等をめくる手の動きが無理のないものとなる。用紙４等を水平方向にめくる場合に比べて、使用者の手首部分の回転動作が少なくなり、腕の肘を伸ばす動作により用紙がめくれるので、使用者への負担が軽減される。また、手が動き安い動作で用紙がめくれるため、用紙をめくるスピードを速くすることが容易にできる。また、多くの場合、左上方に用紙が移動すれば、用紙を水平方向にめくられた場合に比べ、めくられた用紙が邪魔になることが少ない。
【００１８】
また、図２に示すように、用紙４等の左肩部は使用できない欠落した部分（カットされた部分）が生じる。しかし、用紙４等の上端部は、通常、空白をおいて使用され、かつ文字等を縦書きする場合は、文字等を用紙の左端に記入する段階に至って初めて上部が使用できなくなる程度である。したがって、実質上、使用上の不便はほとんど生じない。
【００１９】
さらに、横書きで文書作成をする場合であっても、上端に空白をとり、特に文字等を左端から書き始めなければならない必要性がない限り、使用上の不便はない。むしろ、用紙４等を容易にめくれるため、取り扱い性に優れた長所を持つ機能的なノートとして使用することができる。
【００２０】
なお、綴じ具７の径と、それが挿通される綴じ穴の直径の比率を１０：１２程度の割合にすることで、少ない綴じ穴に挿通した綴じ具７により綴じられたものであっても、用紙４等の面方向への移動を抑えて、これらをしっかり固定することができる。用紙の面方向への移動が非常に僅かなものとなり、支障なく筆記が可能であって、用紙のめくり動作も不都合なく行える、
また、綴じ具７がリング状であるため、綴じられた多数枚の用紙４には、表裏から、ある程度の締付力が作用することとなる。したがって、用紙４は、筆記に際してほとんど移動することがない状態に保持される。
この例では、綴じ穴６を円形または楕円形の穴としたものを示したが、本考案はこれらに限定されるものではない。さらに、綴じ穴の数についても限定されることがないのはいうまでもない。
【００２１】
図５は、全体のサイズが小さいメモ帳とした場合を示す平面図である。このメモ帳は、綴込み縁５に合計８個の円形の綴じ穴６が並設され、らせん状に形成した綴じ具７が挿入されている。
図５に示すような、全体のサイズが小さいメモ帳とした場合においては、用紙の開閉が多くなるので、簡単にめくれる機能性が利点として大いに生かされる。このようなメモ帳など、比較的小さいものであるときは、右手に筆記具を持ち、左手でこれを拡げ、その状態を指で保持することができるので便利である。
【００２２】
さらにまた、第１表紙２と第２表紙３は同じものを使用すれば、表裏のどちらからも同様に使用を開始することができ、図４に示すように表紙を左上方ではなく、右上方に開くようにするこができる。このようにすれば、使用者が左利き、右利きであるかにかかわらず、使用し易い側から使用することができる。
【図面の簡単な説明】
【００２３】
【図１】本考案に係るノートを展開した状態の斜視図である。
【図２】本考案に係るノートを展開した状態の平面図である。
【図３】綴じ具と表紙（用紙）に設けた綴じ穴を示す平面図である。
【図４】ノート類を裏返して、図２に示す場合と反対の方向から用紙をめくるようにした状態を示す平面図である。
【図５】本考案に係るメモ帳の平面図である。
【符号の説明】
【００２４】
１ メモ帳（ノート類）
２ 第１表紙
３ 第２表紙
４ 用紙
５ 綴込み縁
６ 綴じ穴
７ 綴じ具
【図１】
0003143892.tif 000003
【図２】
0003143892.tif 000004
【図３】
0003143892.tif 000005
【図４】
0003143892.tif 000006
【図５】
0003143892.tif 000007